(57)【要約】【課題】利用者が複数回に亘って商品を購入した場合に、購入した商品の領収書の発行対象を利用者が指定することができ、発行対象の領収書データを１枚の領収書として発行することのできる自動販売機を提供する。【解決手段】本発明の第１の自動販売機は、領収書の発行を要求するための領収書発行釦と、領収書を印字出力するプリンタと、入金条件が満たされた時点から領収書発行釦が押圧操作された場合に、予め設定された領収書発行操作が行われるまでの間に販売した商品を領収書の発行対象として、領収書を発行する制御部とを備える。また、本発明の第２の自動販売機は、領収書発行釦と、プリンタと、前回の販売データをリセットした時点から今度の入金がなされて商品の販売が終了した後所定の時間が経過するまでの間に前記領収書発行釦が押圧操作された場合に、領収書の発行受付状態となり、商品の販売終了後に当該商品の領収書を発行する制御部とを備える。【選択図】        図１
2008134978.tif 000002
【特許請求の範囲】
【請求項１】
商品を選択するための商品選択釦を備え、入金条件が満たされた場合に該商品選択釦により選択された商品を払い出すことによって商品を販売する自動販売機であって、
領収書の発行を要求するための領収書発行釦と、
領収書を印字出力するプリンタと、
入金条件が満たされた時点から前記領収書発行釦が押圧操作された場合に、予め設定された領収書発行操作が行われるまでの間に販売した商品を領収書の発行対象として、領収書を発行する制御部と、
を備えたことを特徴とする自動販売機。
【請求項２】
前記制御部は、
入金条件が満たされた時点から前記領収書発行釦が押圧操作された場合に、次に前記領収書発行釦が押圧操作されるまでの間に販売した商品を領収書の発行対象として、領収書を発行することを特徴とする請求項１に記載の自動販売機。
【請求項３】
領収書発行のキャンセルを要求する領収書不要釦をさらに備え、
前記制御部は、入金条件が満たされた時点から前記領収書発行釦が押圧操作された後、予め設定された領収書発行操作が行われるまでの間に前記領収書不要釦が押圧操作された場合に、領収書の発行をキャンセルすることを特徴とする請求項１に記載の自動販売機。
【請求項４】
商品を選択するための商品選択釦を備え、入金条件が満たされた場合に該商品選択釦により選択された商品を払い出すことによって商品を販売する自動販売機であって、
領収書の発行を要求するための領収書発行釦と、
領収書を印字出力するプリンタと、
前記商品選択釦により選択された商品の販売データを記憶する一方で、商品の販売が終了した後所定の時間が経過するまでの間に前記領収書発行釦が押圧操作されなかった場合に前記販売データをリセットする記憶部を有し、前回の販売データをリセットした時点から今回の入金がなされて商品の販売が終了した後所定の時間が経過するまでの間に前記領収書発行釦が押圧操作された場合に、領収書の発行受付状態となり、商品の販売終了後に当該商品の領収書を発行するとともに、前記販売データをリセットする指令を前記記憶部に対して送信する制御部と、
を備えたことを特徴とする自動販売機。
【請求項５】
前記制御部は、
商品を払い出した後に釣銭返却レバーが操作された後所定の時間が経過するまでの間に前記領収書発行釦が押圧操作された場合に、領収書の発行受付状態となり、商品の販売終了後に当該商品の領収書を発行することを特徴とする請求項４に記載の自動販売機。
【請求項６】
前記制御部は、
入金条件が満たされる前に前記領収書発行釦が押圧操作された場合に、領収書の発行受付状態となり、入金条件が満たされ商品の販売が終了した後に当該商品の領収書を発行することを特徴とする請求項４に記載の自動販売機。
【請求項７】
前記制御部は、
入金条件が満たされる前に前記領収書発行釦が押圧操作された後、所定の時間内に入金条件が満たされなかった場合に、領収書の発行受付状態をキャンセルすることを特徴とする請求項６に記載の自動販売機。
【請求項８】
領収書発行のキャンセルを要求する領収書不要釦をさらに備え、
前記制御部は、前記領収書発行釦が押圧操作された後に前記領収書不要釦が押圧操作された場合に、領収書の発行をキャンセルすることを特徴とする請求項４に記載の自動販売機。
【発明の詳細な説明】
【技術分野】
【０００１】
本発明は、販売した商品の領収書を発行する自動販売機に関するものである。
【背景技術】
【０００２】
従来、商品を販売した際に必要に応じて領収書を発行することができる自動販売機が知られている（例えば、特許文献１，２を参照）。この種の自動販売機は、外扉前面に領収書発行釦を備え、商品販売後に利用者によってこの領収書発行釦が押圧操作された場合に、販売した商品の領収書データを印刷して領収書を発行するようになっている。
【０００３】
【特許文献１】特開平８−３１５２２５号公報
【特許文献２】特開昭５４−２１９９号公報
【発明の開示】
【発明が解決しようとする課題】
【０００４】
ところで、利用者が上記の自動販売機で複数の商品を購入する場合、商品を１つ購入する毎に領収書発行操作を行わなければならず、操作が煩わしいという問題がある。また、１商品につき１枚ずつ領収書が発行されることになるため、利用者が領収書を保管する際にかさばったり、紛失しやすくなる等の問題もある。
【０００５】
複数の商品をまとめて購入できる「まとめ買い機能」を有する自動販売機で商品を購入する場合、まとめ買い終了後に利用者が領収書発行釦を押圧操作することにより、まとめ買いした複数の商品の領収書データを１枚の領収書として発行することが可能である。しかしながら、例えば、まとめ買いをして領収書が発行され一旦返金された後に、再度貨幣を投入して追加の商品を購入するような場合には、利用者が領収書の発行操作を再度行う必要がある。この場合、まとめ買いした商品の領収書とは別個に、追加購入した商品の領収書が発行されることになる。また、上記のようなまとめ買い機能を有する自動販売機では、まとめ買いしたすべての商品の領収書データを１枚の領収書として発行するため、例えば、まとめ買いした商品のうち特定の商品の領収書が欲しいという利用者の要求には対応できない。
【０００６】
一方、上記の従来の自動販売機では、商品の販売が終了した後に領収書発行釦の操作が有効となるため、領収書の発行を受付ける時間が短く、利用者が領収書を受け取り損なうといった問題もある。
【０００７】
本発明は、上記の点に鑑み、利用者が複数回に亘って商品を購入した場合に、購入した商品の領収書の発行対象を利用者が指定することができ、発行対象の領収書データを１枚の領収書として発行することのできる自動販売機を提供することを目的とする。
【０００８】
また、本発明は、購入した商品の領収書の発行受付時間を長くすることができる自動販売機を提供することを目的とする。
【課題を解決するための手段】
【０００９】
本発明の請求項１に係る自動販売機は、商品を選択するための商品選択釦を備え、入金条件が満たされた場合に該商品選択釦により選択された商品を払い出すことによって商品を販売する自動販売機であって、領収書の発行を要求するための領収書発行釦と、領収書を印字出力するプリンタと、入金条件が満たされた時点から前記領収書発行釦が押圧操作された場合に、予め設定された領収書発行操作が行われるまでの間に販売した商品を領収書の発行対象として、領収書を発行する制御部と、を備えたことを特徴とする。
【００１０】
本発明の請求項２に係る自動販売機は、上記請求項１において、前記制御部が、入金条件が満たされた時点から前記領収書発行釦が押圧操作された場合に、次に前記領収書発行釦が押圧操作されるまでの間に販売した商品を領収書の発行対象として、領収書を発行することを特徴とする。
【００１１】
また、本発明の請求項３に係る自動販売機は、上記請求項１において、領収書発行のキャンセルを要求する領収書不要釦をさらに備え、前記制御部は、入金条件が満たされた時点から前記領収書発行釦が押圧操作された後、予め設定された領収書発行操作が行われるまでの間に前記領収書不要釦が押圧操作された場合に、領収書の発行をキャンセルすることを特徴とする。
【００１２】
また、本発明の請求項４に係る自動販売機は、商品を選択するための商品選択釦を備え、入金条件が満たされた場合に該商品選択釦により選択された商品を払い出すことによって商品を販売する自動販売機であって、領収書の発行を要求するための領収書発行釦と、領収書を印字出力するプリンタと、前記商品選択釦により選択された商品の販売データを記憶する一方で、商品の販売が終了した後所定の時間が経過するまでの間に前記領収書発行釦が押圧操作されなかった場合に前記販売データをリセットする記憶部を有し、前回の販売データをリセットした時点から今回の入金がなされて商品の販売が終了した後所定の時間が経過するまでの間に前記領収書発行釦が押圧操作された場合に、領収書の発行受付状態となり、商品の販売終了後に当該商品の領収書を発行するとともに、前記販売データをリセットする指令を前記記憶部に対して送信する制御部と、を備えたことを特徴とする。
【００１３】
また、本発明の請求項５に係る自動販売機は、上記請求項４において、前記制御部が、商品を払い出した後に釣銭返却レバーが操作された後所定の時間が経過するまでの間に前記領収書発行釦が押圧操作された場合に、領収書の発行受付状態となり、商品の販売終了後に当該商品の領収書を発行することを特徴とする。
【００１４】
また、本発明の請求項６に係る自動販売機は、上記請求項４において、前記制御部が、入金条件が満たされる前に前記領収書発行釦が押圧操作された場合に、領収書の発行受付状態となり、入金条件が満たされ商品の販売が終了した後に当該商品の領収書を発行することを特徴とする。
【００１５】
また、本発明の請求項７に係る自動販売機は、上記請求項６において、前記制御部が、入金条件が満たされる前に前記領収書発行釦が押圧操作された後、所定の時間内に入金条件が満たされなかった場合に、領収書の発行受付状態をキャンセルすることを特徴とする。
【００１６】
また、本発明の請求項８に係る自動販売機は、上記請求項４において、領収書発行のキャンセルを要求する領収書不要釦をさらに備え、前記制御部は、前記領収書発行釦が押圧操作された後に前記領収書不要釦が押圧操作された場合に、領収書の発行をキャンセルすることを特徴とする。
【発明の効果】
【００１７】
本発明に係る第１の自動販売機によれば、入金条件が満たされた時点から利用者によって領収書発行釦が押された場合に、予め設定された領収書発行操作が行われるまでの間に販売した商品を領収書の発行対象として、１枚の領収書にまとめて発行する構成とした。従って、複数回に亘って複数の商品を個別に販売した場合であっても、これら複数の商品の領収書を１枚にまとめて発行することが可能になる。さらに、利用者が領収書の発行対象を指定できることで、利用者が領収書を管理しやすくなるといった効果を奏する。
【００１８】
また、本発明に係る第２の自動販売機によれば、前回の販売データをリセットした時点から、今回の入金がなされて商品の販売が終了した後所定の時間が経過するまでの間に領収書発行釦が押圧操作された場合に、領収書の発行受付状態となり、商品の販売終了後に当該商品の領収書を発行する構成としたことで、領収書の発行受付時間帯が従来と比べて長くなるから、利用者が領収書を受け取り損なうといった事態を防止することができる。また、領収書発行釦の押圧操作が１回で済むため、利用者の操作が簡単になる。
【発明を実施するための最良の形態】
【００１９】
以下に図面を参照して、本発明に係る第１の自動販売機の好適な実施の形態を詳細に説明する。
【００２０】
図１は本発明の実施の形態である自動販売機の正面図であり、図２はこの自動販売機のブロック図である。ここで例示する自動販売機１は、複数種類の缶入り飲料、ペットボトル入り飲料等の商品を販売するためのものであり、本体キャビネット２及び外扉３を備えている。本体キャビネット１は、複数の鋼板を組み合わせることによって構成したもので、前面が開口した断熱構造の箱状を成している。図１には示されていないが、本体キャビネット１の内部には、複数の商品収容ラックを備えた商品収容庫及び商品搬出装置２１が設けられている。商品搬出装置２１は、商品収容ラックから商品を商品取出口に払い出すためのものである。
【００２１】
外扉３は、本体キャビネット２の前面開口を閉塞するためのもので、開閉可能となる態様で本体キャビネット２の一側縁部に保持させてある。外扉３の前面側には、紙幣投入口４、硬貨投入口５、金額表示器６、商品取出口７、釣銭返却レバー８、硬貨返却口９、領収書発行釦３０及び領収書発行口３１が設けられている。紙幣投入口４は利用者が紙幣を投入するための開口であり、硬貨投入口５は利用者が硬貨を投入するための開口であり、釣銭返却レバー８は硬貨投入口５又は紙幣投入口４から投入した貨幣を返却指示、あるいは釣銭の返却指示をするためのものであり、硬貨返却口９は釣銭となる硬貨を利用者に返却するための開口である。金額表示器６は、利用者が投入した貨幣の入金額や釣銭の金額等、商品を販売する上で必要となる各種情報を外部に表示するためのものであり、商品取出口７は、本体キャビネット２から払い出された商品を利用者が取り出すための開口である。
【００２２】
領収書発行釦３０は、利用者が購入した商品の領収書の発行を要求するための押釦であり、より詳細には、この領収書発行釦３０は、後述するように領収書の発行対象を指定するための釦である。本実施の形態では、入金条件が満たされた後に領収書発行釦３０が押圧操作された場合に、次に領収書発行釦３０が押圧操作されるまでに販売した商品を領収書の発行対象として、１枚の領収書にまとめて発行するように構成してある。領収書発行釦３０は、内部にＬＥＤ光源からなるランプ３３を有しており、領収書発行釦３０の押下が有効な場合には点灯又は点滅可能に構成してある。領収書発行口３１は、発行された領収書３２を利用者が受け取るための開口である。なお、図１には示されていないが、本体キャビネット２内部には、領収書３２を印字出力するプリンタ３４と、領収書発行制御部３５とが設けてある。領収書発行制御部３５は、領収書発行を制御する装置であり、上記の領収書発行釦３０、領収書発行ランプ３３及びプリンタ３４が接続してある。
【００２３】
また、外扉３の前面には、その上方部にディスプレイウィンドウ１０が設けられている。ディスプレイウィンドウ１０は、前面が透明板１１によって覆われた窓であり、その内部に左右方向に沿って商品見本１２を陳列した陳列棚１３が複数段設けられている。透明板１１の前面には、各陳列棚１３に陳列された商品見本１２に対して、利用者が販売商品を選択するための複数の商品選択釦１５が設けられている。
【００２４】
また、外扉３の背面側には、紙幣投入口４を通じて投入された紙幣の金種を識別するビルバリデータ２２と、硬貨投入口５から投入された硬貨の金種を識別するコインメカニズム２３が設けてある。
【００２５】
上述した金額表示器６、商品選択釦１５、商品搬出装置２１、ビルバリデータ２２、コインメカニズム２３及び領収書発行制御部３５は、図２に示すように、全体の制御を統括する主制御部５０に接続してある。領収書発行制御部３５は、上述したように領収書発行釦３０、領収書発行ランプ３３及びプリンタ３４が接続されており、領収書発行釦３０が１回目に押圧操作されてから２回目に押圧操作されるまでに販売した商品を領収書の発行対象として記憶する領収書データ記憶部３６を有している。主制御部５０は、商品価格以上の貨幣が投入されたか否か、又は、電子決済において電子マネー情報の残高が商品価格以上であるか否かを判定し、入金条件が満たされたと判定した場合に、商品選択釦１５からの信号に基づいて商品搬出装置２１に対して商品搬出指令を送出して商品を商品取出口７に払い出させる。また、主制御部５０は、入金条件が満たされたと判定した場合に、領収書発行制御部３５に対して領収書発行準備指令を送出し、その後、商品選択釦１５により商品が選択された場合に、当該商品の販売情報を領収書発行制御部３５に送出する。領収書発行制御部３５は、主制御部５０から領収書発行準備指令が与えられると、領収書発行釦３０の操作を有効化し、領収書発行釦３０からの信号に基づいてタイマ（図示せず）によるカウントを開始し、タイマの設定時間内に主制御部５０から受信した販売情報を領収書データとして領収書データ記憶部３６に格納し、領収書発行釦３０から２回目に出力される信号に基づいて、領収書データを印字出力して領収書３２を発行する。
【００２６】
図３は、上述した自動販売機１の領収書発行制御部３５により実行される、領収書発行手続きの概略を示すフローチャートである。以下、この図３を参照しながら、本実施の形態における領収書を発行する動作について説明する。
【００２７】
領収書発行制御部３５は、まず領収書データ記憶部３６に記憶された前の利用者の領収書データをリセットする（ステップＳ１）。利用者によって商品販売価格以上の貨幣が投入されると、主制御部５０から領収書発行制御部３５に対して領収書発行準備指令が送出される。領収書発行制御部３５は、制御部５０から領収書発行準備指令を受け取ると、領収書発行釦３０の操作を有効化し、利用者によって領収書発行釦３０が押圧操作されたか否かを判定する（ステップＳ２）。領収書発行釦３０が押圧操作されない状態では（ステップＳ２：Ｎｏ）、領収書発行制御部３５は領収書発行釦３０が押圧操作されるか否かを監視し続ける。なお、この状態で商品選択釦１５の押圧操作により商品が選択された場合であっても、当該商品の販売情報は主制御部５０から領収書発行制御部３５に対して送信されることはない。従って、領収書発行制御部３５は、当該商品の販売情報を領収書データとして領収書データ記憶部３６に格納しない。
【００２８】
一方、領収書発行釦３０が押圧操作された場合には（ステップＳ２：Ｙｅｓ）、領収書発行制御部３５は、領収書発行ランプ３３を点滅させ、タイマによるカウントを開始させる（ステップＳ３）。なお、領収書発行ランプ３３の点滅は、再度領収書発行釦３０が押圧操作されるまで、又は、タイマがカウントアップするまで継続させる。この後、商品選択釦１５が押圧操作された場合、すなわち、主制御部５０から商品の販売情報を受信した場合には（ステップＳ４：Ｙｅｓ）、領収書発行制御部３５は、当該商品の販売情報を領収書データとして領収書データ記憶部３６に格納する（ステップＳ５）。なお、当該商品は商品搬出装置２１を通じて商品取出口７に払い出される。次いで、領収書発行制御部３５は、タイマがカウントアップしたか否かを判定し（ステップＳ６）、カウントアップしていない場合には（ステップＳ６：Ｎｏ）、領収書発行釦３０が再び押圧操作されたか否かを判定する（ステップＳ７）。領収書発行釦３０が押圧操作されていない場合には（ステップＳ７：Ｎｏ）、ステップＳ４以降の処理を繰り返す。なお、このタイマ設定時間内においては、再度貨幣が投入されたか否かに拘らず、領収書発行制御部３５は販売した商品の情報を領収書データとして追加していく。
【００２９】
ステップＳ７において領収書発行釦３０が押圧操作された場合には、領収書発行制御部３５は、領収書発行ランプ３３を点滅状態から点灯状態に切り換えるとともに、領収書データ記憶部３６に格納された領収書データ、すなわち、タイマの設定時間内に販売された商品の領収書データをプリンタ３４によって印字出力させ、領収書３２を発行する(ステップＳ８）。タイマの設定時間内に複数の商品を販売した場合には、複数の商品の領収書データを１枚にまとめた領収書を発行する。領収書３２を発行した後、領収書発行制御部３５は領収書発行ランプ３３を消灯させて領収書発行釦３０の釦操作を無効化し、ステップ１に進んで領収書データをリセットする。
【００３０】
なお、ステップＳ６において、タイマがカウントアップした場合には（ステップＳ６：Ｙｅｓ）、領収書発行制御部３５は領収書発行ランプ３３を消灯させて領収書発行釦３０の釦操作を無効化し、ステップＳ１に進んで領収書データをリセットする。すなわち、タイマの設定時間内に再び領収書発行釦３０が押圧操作されなかった場合には、タイマの設定時間内に販売された商品の領収書は発行されない。
【００３１】
次に、図４及び図５は、例として利用者が商品を３本購入した場合の自動販売機１の領収書発行動作の一例を示した概念図であり、図６〜図９は、図４及び図５に示す領収書発行動作により発行された領収書３２の一例を示した図である。以下、商品Ａ，Ｂ，Ｃを販売する際の自動販売機の領収書発行動作について説明する。
【００３２】
図４は、利用者が１回の購入毎に貨幣を投入して、個別に商品を３本購入した場合の自動販売機１の動作を示している。まず、商品価格以上の硬貨が投入され、領収書発行釦３０が押圧操作されると、領収書発行釦３０が点滅を開始し、領収書が発行可能な状態になる。商品選択釦Ａが押圧操作されると商品Ａを商品取出口７に払い出す。次いで、商品価格以上の硬貨が投入され、商品選択釦Ｂが押圧操作されると商品Ｂを払い出す。続けて、商品価格以上の硬貨が投入され、商品選択釦Ｃが押圧操作されると商品Ｃを払い出す。この後、領収書釦３０が再度押圧操作されると、領収書発行釦３０が点滅状態から点灯状態に切り換り、領収書３２を発行する。この領収書３２は、例えば図６又は図７に示すように、商品Ａ，Ｂ，Ｃの金額、購入日、購入時間等が１枚に印刷されたものである。領収書の発行が完了すると、領収書発行釦３０が消灯し、販売待機状態となる。釣銭がある場合には釣銭が返却される。
【００３３】
なお、上記の領収書発行例において、領収書発行釦３０が再度押圧操作される前にタイマがカウントアップした場合には、領収書データがリセットされるため、領収書は発行されない。
【００３４】
図５は、マルチベンド（複数販売）により、利用者が３本分の商品価格に相当する金額以上の貨幣を一度に投入することによって商品Ａ，Ｂ，Ｃをまとめて購入し（いわゆる「まとめ買い」の場合）、３本のうちＢ，Ｃのみを１枚の領収書にまとめて発行する場合における自動販売機１の動作を示している。３本分の商品価格に相当する金額以上の貨幣が投入され、商品選択釦Ａが押圧操作されると商品Ａを払い出す。ここで領収書発行釦３０が押圧操作されると、領収書発行釦３０が点滅を開始し、領収書が発行可能な状態になる。その後に商品選択釦Ｂが押圧操作されると商品Ｂを払い出し、続けて、商品選択釦Ｃが押圧操作されると商品Ｃを払い出す。この後、領収書発行釦３０が再度押圧操作されると、領収書発行釦３０が点滅状態から点灯状態に切り換り、例えば図８又は図９に示すように、商品Ｂ及び商品Ｃの販売情報が１枚に印刷された領収書３２を発行する。領収書の発行が完了すると、領収書発行釦３０が消灯し、販売待機状態となる。釣銭がある場合には釣銭が返却される。
【００３５】
上記の領収書発行例において、商品選択釦Ａを押圧操作する前に領収書発行釦３０が押圧操作された場合には、商品Ａ，Ｂ，Ｃの販売情報が１枚に印刷された領収書３２が発行される。また、図４の領収書発行例と同様に、領収書発行釦が再度押圧操作される前にタイマがカウントアップした場合には、領収書データがリセットされるため、領収書は発行されない。
【００３６】
なお、図４及び図５に示した領収書発行動作は一例であり、これらに限定されるものではないことはもちろんである。例えば、商品Ａ，Ｂをまとめ買い機能を利用して購入した後に、商品Ｃを別途購入することになった場合であっても、タイマの設定時間内に商品Ａ，Ｂ，Ｃが販売されれば、商品Ａ，Ｂ，Ｃは領収書の発行対象となる。
【００３７】
また、上記実施の形態では、商品価格以上の貨幣が投入された後に利用者によって領収書発行釦３０が押圧操作されると、タイマによるカウントを開始し、領収書の発行が可能な状態となる。従って、利用者が領収書発行釦３０を押圧操作した後に領収書の発行をキャンセルしたくなった場合には、次の利用者が使用することを考慮して、タイマがカウントアップするまで待つか、又は、再度領収書発行釦３０を押圧操作して不要な領収書を受け取ることになる。そこで、図１０に示すように、領収書発行釦３０の隣に、領収書発行のキャンセルを要求する領収書不要釦３７を別途設けてもよい。商品価格以上の貨幣が投入され領収書発行釦３０の押圧操作がなされた後にこの領収書不要釦３５が押圧操作された場合、領収書発行制御部３５は、領収書不要釦３７からの信号に基づいて領収書データ記憶部３６の領収書データをリセットし、領収書発行釦３０を点滅状態から消灯状態に切り換え領収書の発行をキャンセルする。なお、領収書不要釦３７が押圧操作された後に領収書発行釦３０が押圧操作された場合には、再びタイマによるカウントを開始し、領収書発行釦３０を点滅させて領収書が発行可能な状態となる。
【００３８】
以上説明したように、本発明の第１の自動販売機によれば、商品を１つずつ個別に販売する場合や複数個の商品を一度にまとめて販売する場合等の販売形態に拘らず、入金条件が満たされた後に、利用者によって領収書発行釦が押されてから次に領収書発行釦が押されるまでの間に販売した商品を領収書の発行対象とし、これを１枚の領収書にまとめて発行する構成とした。従って、複数回に亘って販売した商品の領収書を１枚にまとめて発行することが可能になり、自動販売機の領収書発行用プリンタの紙の消費量が抑制される。さらに、利用者が領収書の発行対象を指定できるようにしたことで、利用者が領収書を管理しやすくなるといった効果を奏する。
【００３９】
さらに、利用者が領収書発行釦を押圧操作した後に領収書の発行を取り消したくなった場合に、領収書不要釦を押圧操作することにより、タイマがカウントアップする前に領収書の発行を取り消すことができるので、次の利用者に対して発行された領収書に前の利用者の領収書データが印刷されるといった事態を防止することができる。
【００４０】
なお、上記の実施の形態では、最初に領収書発行釦３０が押圧操作された後、２回目に領収書発行釦３０が押圧操作された場合に、それまでの間に販売した商品を発行対象として領収書を発行する構成とし、２回目に領収書発行釦３０が押圧操作される前にタイマがカウントアップした場合には領収書データをリセットするように構成したが、これに限定されるものではない。例えば、最初に領収書発行釦３０が押圧操作された後、タイマがカウントアップした時点で、それまでの間に販売した商品の領収書を発行するように構成してもよい。また、最初に領収書発行釦３０が押圧操作された後、釣銭の返却レバー８が操作された場合に、それまでの間に販売した商品の領収書を発行するように構成してもよい。このような構成とした場合、領収書発行釦３０の押圧操作が最初の１回で済み、利用者の操作が簡単になる。
【００４１】
また、上記の実施の形態では、領収書発行制御部３５を設けた構成としたが、領収書データ記憶部３６を主制御部５０に設け、領収書発行釦３０、領収書発行ランプ３３、プリンタ３４を主制御部５０に接続することにより、主制御部５０によって領収書発行の制御が行われる構成としてもよい。
【００４２】
次に、本発明に係る第２の自動販売機の好適な実施の形態を詳細に説明する。なお、第１の発明に係る自動販売機と同一の構成については同一の符号を使用し、説明を省略する。
【００４３】
本発明の実施の形態である自動販売機１の構成は、図１及び図２に示した第１の自動販売機と同一の構成を備えている。主制御部５０は、商品価格以上の貨幣が投入されたか否か、又は、電子決済において電子マネー情報の残高が商品価格以上であるか否かを判定し、入金条件が満たされたと判定した場合に、商品選択釦１５からの信号に基づいて商品搬出装置２１に対して商品搬出指令を送出して商品を商品取出口７に払い出させる。また、制御部５０は、商品選択釦１５により商品が選択された場合に、当該商品の販売情報を領収書発行制御部３５に送出する。
【００４４】
領収書発行制御部３５には、領収書発行釦３０、領収書発行ランプ３３及びプリンタ３４が接続されている。領収書発行制御部３５は、主制御部５０から受信した販売情報を領収書データとして記憶する領収書データ記憶部３６を有し、領収書発行釦３０からの信号に基づいて、領収書データを印字出力して領収書３２を発行する。
【００４５】
領収書発行釦３０は、内部にＬＥＤ光源からなるランプ３３を有しており、釦が押下された場合にランプ３３を点灯可能に構成してある。この領収書発行釦３０は、領収書データ記憶部３６に格納された前回の領収書データがリセットされた時点から、今回の入金がなされ商品の販売が終了した後所定の時間が経過するまでの間、釦操作が有効となるように設定されている。
【００４６】
領収書発行制御部３５は、上記の間に領収書発行釦３０が押圧操作された場合に領収書の発行受付状態となるように構成してある。ここで、領収書の発行受付状態とは、商品の販売が終了した後に、商品の領収書データをプリンタ３４に送信し、印字出力することを意味する。例えば、マルチベンド（複数販売）の場合、領収書発行制御部３５は、貨幣を投入する前あるいは商品の販売途中で領収書発行釦が押圧操作された場合であっても、押圧操作された時点で領収書発行受付状態となり、複数の商品の販売が終了した後、販売したすべての商品のデータをプリンタに送信し、１枚の領収書として発行する。従って、領収書発行釦３０が上記の間でいつ押されたかに拘らず、販売した商品すべてが領収書の発行対象となる。
【００４７】
図１１は、本発明の第２の自動販売機の領収書発行制御部３５により実行される、領収書発行の手続きの概略を示すフローチャートである。以下、この図１１を参照しながら、本実施の形態における領収書を発行する動作について説明する。
【００４８】
領収書発行制御部３５は、まず領収書データ記憶部３６に記憶された前の利用者の領収書データをリセットする（ステップＳ１）。領収書発行制御部３５は、領収書データ記憶部３６の領収書データをリセットすると、領収書発行釦３０の操作を有効化し、領収書発行待機状態となる。この状態は、領収書発行釦が押下されず、領収書の発行が未定である状態であり、これをＦ＝０とする（ステップ２）。なお、領収書発行待機状態とは、主制御部５０から送信された商品データを領収書データ記憶部３６に格納するが、販売終了後には商品データをプリンタに送信しないことを意味する。
【００４９】
このあと、領収書発行釦３０が押圧操作されたかどうかを判定し（ステップ３）、領収書発行釦３０が押圧操作されていない場合には（ステップ３：Ｎｏ）、Ｆ＝０のままステップ４に進む。一方、領収書発行釦３０が押圧操作された場合には（ステップ３：Ｙｅｓ）、領収書発行制御部３５は領収書発行受付状態となる。この状態をＦ＝１とする（ステップＳ５）。領収書発行制御部３５は、領収書発行受付状態となると領収書発行ランプ３３を点灯させ、タイマによるカウントを開始させる（ステップＳ６）。この後、タイマの設定時間内に利用者によって商品販売価格以上の貨幣が投入された場合には(ステップＳ７：Ｙｅｓ)、ステップ４に進む。一方、タイマがカウントアップするまでに入金条件が満たされなかった場合には（ステップＳ８：Ｙｅｓ）、再びＦ＝０（待機状態）となり（ステップＳ９）、ステップ４に進む。
【００５０】
商品価格以上の貨幣が投入され商品選択釦１５が押圧操作された場合、すなわち、主制御部５０から商品の販売情報を受信した場合には（ステップＳ４：Ｙｅｓ）、領収書発行制御部３５は、当該商品の販売情報を領収書データとして領収書データ記憶部３６に格納し（ステップＳ１０）、領収書発行ランプ３３を点滅させる。ランプを点滅させることにより、領収書の発行が可能であることを利用者に通知する。但し、ステップＳ３で既に領収書発行釦３０が押圧操作されＦ＝１の状態となった場合には、ランプ３３は既に点灯状態にあるから、このステップＳ１０ではランプは点滅しない。なお、当該商品は商品搬出装置２１を通じて商品取出口７に払い出される。
【００５１】
次いで、領収書発行制御部３５は、領収書発行釦３０が押圧操作されかたどうかを判定する（ステップ１１）。領収書発行釦３０が押圧操作されている場合には（ステップＳ１１：Ｙｅｓ）、Ｆ＝１（領収書発行受付状態）として（ステップＳ１２）、ステップＳ１３に進む。一方、押圧操作されていない場合には（ステップＳ１１：Ｎｏ）、そのままステップＳ１３に進む。領収書発行制御部３５は、主制御部５０から販売終了を受信しない場合には（ステップＳ１３：Ｎｏ）、ステップＳ４以降の処理を繰り返す。一方、主制御部５０から販売終了を受信した場合には（ステップＳ１３：Ｙｅｓ）、Ｆ＝１（領収書発行受付状態）であるか否かを判定し（ステップＳ１４）、Ｆ＝１である場合には（ステップＳ１４：Ｙｅｓ）、領収書発行制御部３５は、領収書データ記憶部３６に格納された領収書データをプリンタ３４に送信することによってデータを印字出力させ、領収書３２を発行する（ステップＳ１５）。なお、ステップＳ１３における「販売終了」とは、投入された額から商品価格を差し引いたときの残金が０になった時点、あるいは、釣銭がある場合に釣銭返却レバーが操作された時点を意味する。また、領収書発行制御部３５は、領収書の発行が完了した後、ステップ１に進んで領収書データ記憶部３６の領収書データをリセットする。
【００５２】
なお、ステップＳ１４において、Ｆ＝１（領収書発行受付状態）でない場合には（ステップＳ１４：Ｎｏ）、タイマによるカウントを開始させる（ステップＳ１６）。タイマ設定時間内において、次の利用者によって入金がなされた場合には、すなわち、商品販売価格以上の貨幣が投入された場合には（ステップＳ１７：Ｙｅｓ）、ステップＳ１に進んで領収書のデータをリセットする。一方、タイマの設定時間内において、次の入金がされず（ステップＳ１７：Ｎｏ）、領収書発行釦３０が押圧操作された場合には（ステップＳ１８：Ｙｅｓ）、領収書発行制御部３５は、領収書データ記憶部３６に格納された領収書データをプリンタ３４に送信し、領収書３２を発行する（ステップＳ１９）。また、領収書発行釦３０が押圧操作されずに（ステップＳ１８：Ｎｏ）、タイマがカウントアップした場合には（ステップ２０：Ｙｅｓ）、ステップＳ１に進んで領収書のデータをリセットする。
【００５３】
次に、図１２〜図１４は、マルチベンド（複数販売）により、利用者が２本分の商品価格に相当する金額の貨幣を一度に投入することによって商品Ａ，Ｂをまとめて購入（いわゆる「まとめ買い」）した場合の自動販売機１の領収書発行動作の一例を示した概念図である。図１２は、販売終了後に領収書発行釦３０が押圧操作された場合の自動販売機１の動作を示している。まず、商品価格以上の硬貨が投入され商品選択釦Ａが押圧操作されると、商品Ａを商品取出口７に払い出すとともに、領収書発行釦３０を点滅させることによって利用者に対して領収書の発行が可能であることを通知する。次いで、商品選択釦Ｂが押圧操作されると商品Ｂを払い出す。投入された額から商品Ａ，Ｂの価格を差し引いたときの残金が０になり（販売終了）、所定時間内に領収書釦３０が押圧操作されると、領収書発行釦３０が点滅状態から点灯状態に切り換り、領収書３２を発行する。領収書の発行が完了すると、領収書発行釦３０が消灯し、販売待機状態となる。なお、図１２の手順により発行された領収書３２は、図９に示した第１の自動販売機が発行する領収書と同様である。
【００５４】
図１３は、商品販売途中で領収書発行釦３０が押圧操作された場合の自動販売機１の動作を示している。まず、商品価格以上の硬貨が投入され商品選択釦Ａが押圧操作されると、商品Ａを商品取出口７に払い出すとともに、領収書発行釦３０を点滅させることによって利用者に対して領収書の発行が可能であることを通知する。ここで領収書発行釦３０が押圧操作されると、領収書発行釦３０が点滅状態から点灯状態に切り換り、領収書発行受付状態となる。次いで、商品選択釦Ｂが押圧操作されると商品Ｂを払い出し、投入された額から商品Ａ，Ｂの価格を差し引いたときの残金が０になった時点で（販売終了）、領収書３２を発行する。領収書の発行が完了すると、領収書発行釦３０が消灯し、販売待機状態となる。なお、図１３の手順により発行された領収書３２は、図９に示した第１の自動販売機が発行する領収書と同様である。
【００５５】
図１４は、入金がなされる前に領収書発行釦３０が押圧操作された場合の自動販売機１の動作を示している。入金がなされる前に領収書発行釦が押圧操作されると、領収書発行釦３０が点灯し、領収書発行受付状態となる。この後、所定時間内に商品価格以上の硬貨が投入され、商品選択釦Ａが押圧操作されると、商品Ａを商品取出口７に払い出す。次いで、商品選択釦Ｂが押圧操作されると商品Ｂを払い出し、投入された額から商品Ａ，Ｂの価格を差し引いたときの残金が０になった時点で（販売終了）、領収書３２を発行する。領収書の発行が完了すると、領収書発行釦３０が消灯し、販売待機状態となる。なお、領収書発行釦３０が押圧操作された後、所定の時間以内に硬貨が投入されなかった場合には、領収書発行釦は消灯し、領収書発行待機状態となる。図１４の手順により発行された領収書３２は、図９に示した第１の自動販売機が発行する領収書と同様である。
【００５６】
上記の領収書発行例では、投入された額から商品Ａ，Ｂの価格を差し引いたときの残金が０になった時点を販売終了としたが、釣銭がある場合には、利用者によって釣銭返却レバーが操作された時点を販売終了とする。
【００５７】
また、上記実施の形態では、一旦領収書発行釦３０が押圧操作されると領収書受付状態となり、商品の販売終了後に領収書が発行されることになる。従って、利用者が領収書発行釦３０を押圧操作した後に領収書の発行をキャンセルしたくなったような場合には、販売終了後に不要な領収書を受け取ることになる。そこで、上述した第１の自動販売機と同様に、図１０に示すような領収書発行のキャンセルを要求する領収書不要釦３７を別途設けてもよい。領収書発行釦３０の押圧操作がなされた後にこの領収書不要釦３５が押圧操作された場合、領収書発行制御部３５は、領収書不要釦３７からの信号に基づいて領収書の発行受付状態をキャンセルし、領収書発行釦３０を点灯状態から消灯状態に切り換える。
【００５８】
以上説明したように、本発明に係る第２の自動販売機では、前回の販売データをリセットした時点から、今回の入金がなされて商品の販売が終了した後所定の時間が経過するまでの間に領収書発行釦３０が押圧操作された場合に、領収書の発行受付状態となり、商品の販売終了後に当該商品の領収書を１枚にまとめて発行する構成とした。このような構成とすることで、利用者は、例えば貨幣を投入する前あるいは商品の販売途中など、販売が完了する前に領収書発行釦３０の押圧操作を行うことができるようになる。その結果、従来のように販売終了後に領収書の発行を受け付ける場合と比べて、領収書の発行受付時間帯が長くなるから、利用者が領収書を受け取り損なうようなことがなくなるとともに、領収書発行釦３０の押圧操作が１回で済むため、利用者の操作も簡単になる。また、マルチベンド時において販売した複数の商品の領収書データを１枚にまとめて発行するようにしたため、利用者が領収書を管理しやすくなる。
【００５９】
さらに、利用者が領収書発行釦３０を押圧操作した後に領収書の発行を取り消したくなった場合に、領収書不要釦３７を押圧操作することにより、領収書の発行受付状態をキャンセルして待機状態に戻すことができるので、利用者が不要な領収書を受け取ることがない。
【００６０】
なお、上記の実施の形態においても領収書発行制御部３５を設けた構成としたが、領収書データ記憶部３６を主制御部５０に設け、領収書発行釦３０、領収書発行ランプ３３、プリンタ３４を主制御部５０に接続することにより、主制御部５０によって領収書発行の制御が行われる構成としてもよい。
【図面の簡単な説明】
【００６１】
【図１】図１は、本発明に係る第１の自動販売機の外観構成を示す図である。
【図２】図２は、本発明に係る第１の自動販売機におけるブロック図である。
【図３】図３は、本発明に係る第１の自動販売機における領収書発行制御部により実行される領収書発行の概略フローチャートである。
【図４】図４は、本発明に係る第１の自動販売機における領収書発行動作の一例を示した概念図である。
【図５】図５は、本発明に係る第１の自動販売機における領収書発行動作の一例を示した概念図である。
【図６】図６は、図４で示した自動販売機の領収書発行動作により発行された領収書の一例を示す図である。
【図７】図７は、図４で示した自動販売機の領収書発行動作により発行された領収書の一例を示す図である。
【図８】図８は、図５で示した自動販売機の領収書発行動作により発行された領収書の一例を示す図である。
【図９】図９は、図５で示した自動販売機の領収書発行動作により発行された領収書の一例を示す図である。
【図１０】図１０は、領収書発行釦の隣に領収書不要釦が設置された状態を示す図である。
【図１１】図１１は、本発明に係る第２の自動販売機における領収書発行制御部により実行される領収書発行の概略フローチャートである。
【図１２】図１２は、本発明に係る第２の自動販売機における領収書発行動作の一例を示した概念図である。
【図１３】図１３は、本発明に係る第２の自動販売機における領収書発行動作の一例を示した概念図である。
【図１４】図１４は、本発明に係る第２の自動販売機における領収書発行動作の一例を示した概念図である。
【符号の説明】
【００６２】
１    自動販売機
８    釣銭返却レバー
１５  商品選択釦
３０  領収書発行釦
３４  プリンタ
３５  領収書不要釦
３５  領収書発行制御部
３６  領収書データ記憶部
【図１】
2008134978.tif 000003
【図２】
2008134978.tif 000004
【図３】
2008134978.tif 000005
【図４】
2008134978.tif 000006
【図５】
2008134978.tif 000007
【図６】
2008134978.tif 000008
【図７】
2008134978.tif 000009
【図８】
2008134978.tif 000010
【図９】
2008134978.tif 000011
【図１０】
2008134978.tif 000012
【図１１】
2008134978.tif 000013
【図１２】
2008134978.tif 000014
【図１３】
2008134978.tif 000015
【図１４】
2008134978.tif 000016